(57)【特許請求の範囲】
【請求項１】
磁気テープを巻装した単一のリールが、上シェルと下シェルとからなるカートリッジケース内に回転可能に収容された磁気テープカートリッジにおいて、
前記カートリッジケースに、前記磁気テープの一端を引き出すためのテープ引出し用開口部を開閉するスライドドアが設けられ、該スライドドアを閉位置に向かって付勢しかつ閉位置に保持するためのばねが、前記スライドドアの移動通路に該スライドドアの後端面(3b)を押すように設けられ、前記スライドドアの前端面(3a)が、記録再生装置にセットされる際に該装置側のテープ引出し機構に押されるように、前記カートリッジケースの一側面に露呈していることを特徴とする磁気テープカートリッジ。
【請求項２】
前記カートリッジケースの一側面に、前記スライドドアの前端面(3a)が露呈する切欠部が形成されていることを特徴とする請求項１記載の磁気テープカートリッジ。
【発明の詳細な説明】
【０００１】
【発明の属する技術分野】
本発明は、磁気テープを巻装した単一のリールが、上シェルと下シェルとからなるカートリッジケース内に回転可能に収容された磁気テープカートリッジに関し、特に、上記磁気テープの一端を引き出すためのテープ引出用開口部を開閉するスライドドアを備えた磁気テープカートリッジに関するものである。
【０００２】
【従来の技術】
従来、コンピュータ等の外部記憶装置に用いられる記録媒体として使用されている磁気テープカートリッジには、磁気テープを巻装した単一のリールが、上シェルと下シェルとからなるほぼ正方形の平面形を有する偏平なカートリッジケース内に回転可能に収容されているものがある。この磁気テープカートリッジはコンピュータ等のデータ保存用に用いられている。
【０００３】
従来のこの種の磁気テープカートリッジには、例えば２種類の形式があって、その１つは、不使用時に磁気テープが完全にリールに巻き込まれた状態で、磁気テープ端に取り付けられたリーダーテープ（磁気テープカートリッジを使用する記録再生装置が磁気テープを装置内の所定のテープ走行路に導入するための手段）の先端部分がカートリッジケースの一隅に形成されたテープ引出し用開口部を覆うように収容されるリーダーブロックに係止されるように構成されている。
【０００４】
また、他の形式のものは、カートリッジケースの一側壁に形成されたテープ引出し用開口部にカートリッジ平面方向に回動開閉可能なリッドが、閉位置に向かってばね付勢された態様で、かつカートリッジ不使用時には回動しないように、ロック位置にばね付勢されたリッドロックにより閉位置に係止される態様で取り付けられていて、このテープ引出し用開口部内に組み込まれるフックに上記リーダーテープの先端部分が係止されるように構成されたものとがある。
【０００５】
このような構成を有する磁気テープカートリッジが、対応する外部記憶装置の記録再生装置にセットされると、下シェルの中央部に露呈しているリールの係合歯に装置側の回転駆動手段が係合するとともに、前者の場合には、装置側のテープ引出し機構により上記リーダーブロックがそのままリーダーテープとともに引き出されることによって、また後者の場合には、装置側のテープ引出し機構により先にリッドが開かれてから、上記フックがリーダーテープとともに引き出されることによって、リーダーテープがテープ走行路の所定位置に引き込まれ、磁気テープへのデータの書込み／読出しが可能になる。
【０００６】
【発明が解決しようとする課題】
ところで、上述した２種類の磁気テープカートリッジのうち、前者のリーダーブロックを用いるものは、テープ引出しに際してリーダーブロックを掴んで引き出すだけでよいから装置側のテープ引出し機構が簡単になる長所はあるものの、カートリッジ不使用時にテープ引出し用開口部とリーダーブロックとの間の隙間からカートリッジ内部に塵埃が侵入しやすいという欠点があった。
【０００７】
一方、後者の開閉リッド形式のものは、カートリッジ内部に塵埃が侵入しやすいという問題は解決されてはいるものの、テープ引出しに際して、先ずリッドロックを解除してからリッドを開かなければならないから、装置側のテープ引出し機構が複雑になるとともに、回動型のリッドの回動スペースを必要とするという問題があった。また、カートリッジ側においても、カートリッジ組立て時において、リッド付勢用のトーションばねおよびリッドロック付勢用のコイルばねの組み込みに工数を要するという問題もあった。
【０００８】
上述の事情に鑑み、本発明は、上述の問題点をすべて克服し得る磁気テープカートリッジを提供することを目的とする。
【０００９】
【課題を解決するための手段】
本発明は、磁気テープを巻装した単一のリールが、上シェルと下シェルとからなるカートリッジケース内に回転可能に収容された磁気テープカートリッジにおいて、
上記カートリッジケースに、上記磁気テープの一端を引き出すためのテープ引出し用開口部を開閉するスライドドアが設けられ、このスライドドアを閉位置に向かって付勢しかつ閉位置に保持するためのばねが、上記スライドドアの移動通路に設けられていることを特徴とするものである。
【００１０】
本発明の１つの態様によれば、上記上シェルおよび上記下シェルに、スライドドアの上縁部および下縁部にそれぞれ係合してこのスライドドアを案内する凹溝が形成される。そして、板ばねまたは線ばねよりなる上記ばねの一端が上シェルと下シェルとの間に係止され、他端がスライドドアの後端面に当接している。
【００１１】
その場合、カートリッジケースのスライドドアの移動ストローク間に、ばねの外れを防止し得る壁部を形成してもよい。
【００１２】
本発明の他の態様によれば、上記スライドドアの移動通路を画成する閉空間が上シェルおよび下シェルとスライドドアの後端面との間に形成され、板ばねよりなるばねが、その一端を上記閉空間の端壁面に当接せせ、他端をスライドドアの後端面に当接させた態様で、上記閉空間内に介装されている。
【００１３】
また、上記ばねが、スライドドアの移動方向と平行な軸線を有するコイルばねとすることができ、その場合、このコイルばねの一部が、上シェルおよび下シェルからそれぞれ延びるリブによって囲まれた空間内に設けられていることが好ましい。
【００１４】
また、ばねが、上記のようなコイルばねである場合、スライドドアの後端部に、コイルばねの当接面を形成する折曲げ部が設けられていることが好ましい。
【００１５】
【発明の効果】
本発明による磁気テープカートリッジにおいては、テープ引出し用開口部を開閉するスライドドアを備えているから、カートリッジ不使用時にテープ引出し用開口部からカートリッジ内部に塵埃が侵入するおそれもなく、しかも装置側において回動型リッドのようなリッドの回動スペースを必要とするという問題もなくなる。
【００１６】
また、カートリッジ不使用時にはスライドドアがばねによって閉位置に保持されているから、テープ引出しに際して、テープ引出し用開口部を開閉する回動型リッドを備えた従来の磁気テープカートリッジのようにリッドロックを解除する必要がなくなるから、装置側のテープ引出し機構が簡単になる利点がある。
【００１７】
さらに、スライドドアを閉位置に向かって付勢しかつ閉位置に保持するばねがスライドドアの移動通路に設けられ、かつばねの一端が、上シェルと下シェルとの間に係止されるか、あるいはスライドドアの移動通路の端壁面に当接するかによって保持され、ばねの他端はスライドドアの後端面に当接している構成を有する場合には、カートリッジ組立て時におけるばねの組込みが容易となる。
【００１８】
特に、スライドドアの移動通路を画成する閉空間が上シェルおよび下シェルとスライドドアの後端面との間に形成されている場合には、ばねを下シェル内の上記閉空間に対応する凹部に投げ込むだけで組み込むことができるから、ばねの組込み作業がきわめて簡単になる。
【００１９】
さらに、上記ばねとして、スライドドアの移動方向と平行な軸線を有するコイルばねを用いた場合に、コイルばねの一部を、上シェルおよび下シェルからそれぞれ延びるリブによって囲まれた空間内に設けることにより、コイルばねのの外れを防止することができ、さらに、このようなコイルばねを用いたとき、スライドドアの後端部に、コイルばねの当接面を形成する折曲げ部を設けた場合には、コイルばねの当接面積が増大し、スライドドアに対してコイルばねを確実に連結させることができる。
【００２０】
【発明の実施の形態】
以下、本発明の実施の形態を図面に基づいて詳細に説明する。
【００２１】
図１および図２は、本発明による磁気テープカートリッジの斜視図を示し、図１はそのスライドドアの閉状態を、図２はスライドドアの開状態をそれぞれ示す。
【００２２】
磁気テープカートリッジには、上シェル１ａと下シェル１ｂとからなるカートリッジケース１内に、磁気テープを巻装した単一のリールが回転可能に収容されている。カートリッジケース１の一側壁には、磁気テープの一端を引き出すためのテープ引出用開口部２が上シェル１ａと下シェル１ｂとに跨がって、かつコーナー部に近接して形成されているとともに、このテープ引出用開口部２を開閉するスライドドア３が摺動可能に設けられている。スライドドア３は、後述するように、カートリッジケース１内部においてカートリッジケース１とスライドドア３の後端面との間に介装されたばねによって閉位置に向かって付勢され、かつ閉位置に保持されるようになっている。
【００２３】
テープ引出用開口部２の内側には、図２から明らかなように、磁気テープの一端に接続されたリーダーテープの先端部分をクランプしたリーダーピン４が収容されており、この磁気テープカートリッジが対応する外部記憶装置等の記録再生装置にセットされると、下シェル１ｂの中央部の開口に露呈している図示しないリールの係合歯に装置側の回転駆動手段が係合するとともに、装置側のテープ引出し機構によりスライドドア３の前端面３ａが押されてスライドドア３が開かれ、かつリーダーピン４がリーダーテープとともに装置側に引き込まれることによって、磁気テープが装置側にセットされ、磁気テープに対するデータの書込み／読出しが可能になる。
【００２４】
また、カートリッジケース１の一側には、磁気テープの消去および二重書込みを防止するための回動式の操作つまみ５が露出している。
【００２５】
図３〜図５は、本発明による磁気テープカートリッジの１つの実施の形態を示し、図３は要部の横断面図、図４（ａ），（ｂ）は要部の縦断面図、図５は図４（ａ）のＶ−Ｖ線に沿った縦断面図である。なお、図４（ａ）はスライドドアの閉状態を、図４（ｂ）はスライドドアの開状態をそれぞれ示す。
【００２６】
カートリッジケース１の上シェル１ａおよび下シェル１ｂには、図５から明らかなように、スライドドア３の上縁部および下縁部にそれぞれ係合してスライドドア３を案内する凹溝１ｃ，１ｄが形成されている。
【００２７】
カートリッジケース１の内部のスライドドア３の移動通路には、スライドドア３を閉位置に向かって付勢しかつ閉位置に保持するためのばね６が設けられている。このばね６は、板ばねまたは線ばねよりなり、その一端６ａは、上シェル１ａと下シェル１ｂとの間に係止されている。例えば、図４に示す実施の形態においては、下シェル１ｂに上方へ延びるリブ７が立設され、このリブ７に上端から下方に向かって形成された溝（ばね６が板ばねの場合）または孔（ばね６が線ばねの場合）７ａにばね６の直線状の一端６ａが上方から挿入され、かつリブ７の上端面に沿ってばね６がスライドドア３に向かってほぼ水平に折れ曲がっている。そして、この折曲がり部分の上に上シェル１ａの部分が近接または当接していることによって、ばね６の一端６ａがカートリッジケース１に係止されている。
【００２８】
弧を描くばね６の他端６ｂは、スライドドア３の後端面３ｂに当接しているが、この後端面３ｂは、ばね６が板ばねの場合には、図６（ａ）に示すように平面でよいが、ばね６が線ばねの場合には、図６（ｂ）に示すように凹面に形成されるのが好ましい。
【００２９】
なお、図４に示す実施の形態においては、ばね６の特に弾性に寄与する箇所が少ないが、例えば、図４に対応する図７に示すような、弾性に寄与する部分を多数備えたばね６を用いれば、スライドドア３のスライドストロークを長くとれる点で有利である。そしてこの場合には、上シェル１ａからもリブ８を垂下して、このリブ８の下端面と下シェル１ｂ側のリブ７の上端面との間でばね６の折曲がり部分を挟持することができる。したがって、この場合には、必ずしもばね６の一端に直線状部分を設けないでも、したがってリブ７に溝または孔７ａを設けなくとも、ばね６の一端を係止することが可能である。
【００３０】
いずれの場合にも、カートリッジケース１の組立て時に、ばね６を下シェル１ｂ上の所定位置に配置し、その上から上シェル１ａを下シェル１ｂに接合するだけで、ばね６をカートリッジケース１に装着することができる。
【００３１】
また、ばね６が線ばねの場合、スライドドア３の摺動時に線ばねの脱落を防止するために、図８に示すように、カートリッジケース１におけるスライドドア３の移動通路の内側にこの移動通路に沿って所定の高さの内壁９を設け、この内壁９と外壁１０との間にばね６が常に介入しているようにしてもよい。
【００３２】
さらに、ばね６が線ばねの場合、図９に示すように、下シェル１ｂ上に突設されたリブ７の上端面に突起７ｂを形成し、かつこの突起７ｂを、上シェル１ａから垂設されたリブ８の下端面の凹部８ａに嵌合させるとともに、ばね６の一端に形成したループ部６ｃが上記突起７ｂと上記凹部８ａとの嵌合部において突起７ｂに嵌装された態様で、ばね６の一端をカートリッジケース１に係止するようにしてもよい。
【００３３】
図１０〜図１２は、本発明による磁気テープカートリッジの他の実施の形態を示す図で、図１０は要部の横断面図、図１１（ａ），（ｂ）は要部の縦断面図、図１２はばねの装着状態を概略的に示す透視的な斜視図である。なお、図１１（ａ）はスライドドアの閉状態を、図１１（ｂ）はスライドドアの開状態をそれぞれ示す。
【００３４】
本実施の形態の形態では、スライドドア３の移動通路の外壁１０の内側に、上記移動通路に沿って内壁９が設けられて、スライドドア３の移動通路を画成する閉空間１１が上シェル１ａおよび下シェル１ｂとスライドドア３の後端面３ｂとの間に形成され、図１１に示すような形状を有する板ばねよりなるばね６が、その一端を上記閉空間１１の後端壁１２に当接せせ、他端をスライドドア３の後端面３ｂに当接させた態様で、閉空間１１内に介装されている。
【００３５】
このような構成の場合、カートリッジケース１の組立て時に、ばね６の一端をカートリッジケース１側にに係止させる必要がなく、単にばね６を下シェル１ｂ内の上記閉空間１１に対応する凹部に投げ込むだけでばね６を組み込むことができるから、ばね組込み作業がきわめて簡単になる。
【００３６】
また、本実施の形態の形態では、この磁気テープカートリッジが記録再生装置にセットされたとき、スライドドア３の開放を確実にするために、図１０に示すように、ドア３の前縁にＬ字状に外方へ折り曲げた部分３ｃを設けて、スライドドア３と装置側のスライドドア開放手段との当接面積を増大させている。
【００３７】
なお、上記ばね６としては、上述した板ばねまたは線ばね以外に、スライドドア３の移動方向と平行な軸線を有するコイルばねを用いることもできる。その場合には、例えば図１３，１４に示すように、下シェル１ｂ上に突設されたリブ７と上シェル１ａから垂下されたリブ８との間に、これらリブ７，８に取り囲まれた、スライドドア３の移動方向と平行な細長い空間１３を形成し、この空間１３内にばね６の後部を収容することにより、ばね６を所定位置に保持することができる。
【００３８】
また、ばね６としてコイルばねを用いる場合、スライドドア３の後端面３ｂに対するばね６の当接面積を増大させるために、例えば図１５に示すように、スライドドア３の後縁の一部にＬ字状に内方へ折り曲げた部分３ｄを設け、部分３ｄの後端面３ｂにばね６を当接させるようにしてもよい。
【図面の簡単な説明】
【図１】本発明による磁気テープカートリッジを、スライドドアの閉状態で示す斜視図
【図２】図１の磁気テープカートリッジを、スライドドアの開状態で示す斜視図
【図３】本発明による磁気テープカートリッジのスライドドアのばね付勢構造の１つの実施の形態を示す要部の横断面図
【図４】同  要部の縦断面図
【図５】図４（ａ）のＶ−Ｖ線に沿った縦断面図
【図６】ばねが板ばねまたは線ばねよりなる場合のばねの端部とスライドドアの後端面との接触状態を示す斜視図
【図７】図４とは形状の異なるばねを用いた場合の要部の縦断面図
【図８】ばねが線ばねよりなる場合の、スライドドアの移動通路におけるばねの保持構造を示す斜視図
【図９】ばねが線ばねよりなる場合の、カートリッジケースに対するばねの係止構造を示す断面図
【図１０】本発明による磁気テープカートリッジのスライドドアのばね付勢構造の他の実施の形態を示す要部の横断面図
【図１１】同  要部の縦断面図
【図１２】同  ばねの装着状態を概略的に示す透視的な斜視図
【図１３】ばねがコイルばねよりなる場合の要部の縦断面図
【図１４】図１３の XIV−XIV 線に沿った断面図
【図１５】ばねがコイルばねよりなる場合の、スライドドアとばねとの当接部の構造を示す断面図
【符号の説明】
１    カートリッジケース
１ａ    上シェル
１ｂ    下シェル
２    テープ引出用開口部
３    スライドドア
４    リーダーピン
６    ばね
７，８    リブ
【図１】
0003695921.tif 000002
【図２】
0003695921.tif 000003
【図３】
0003695921.tif 000004
【図４】
0003695921.tif 000005
【図５】
0003695921.tif 000006
【図６】
0003695921.tif 000007
【図７】
0003695921.tif 000008
【図８】
0003695921.tif 000009
【図９】
0003695921.tif 000010
【図１０】
0003695921.tif 000011
【図１１】
0003695921.tif 000012
【図１２】
0003695921.tif 000013
【図１３】
0003695921.tif 000014
【図１４】
0003695921.tif 000015
【図１５】
0003695921.tif 000016